(57)【要約】      （修正有）【課題】使用に際しての小型化された電子血圧計の提供。【解決手段】カフ２０１を収納するカフ収納部２０２を備えた筐体１０１と、筐体１０１に設けられ、カフ収納部２０２をカフを出し入れ可能に開放する蓋部材１０２と、蓋部材１０２に設けられ、当該蓋部材１０２がカフ収納部２０２を開放する状態において入力操作を受け付ける操作部２０５と、蓋部材１０２に設けられ、当該蓋部材１０２がカフ収納部２０２を開放する状態において所定の情報を表示する液晶表示部２０４と、を備えた電子血圧計１００において、蓋部材１０２が、筐体１０１の一部に重なった状態でカフ収納部２０２を開放するように構成した。【選択図】図２
2011212322.tif 000002
【特許請求の範囲】
【請求項１】
カフを収納するカフ収納部を備えた筐体と、
前記筐体に設けられ、前記カフ収納部からカフを出し入れ可能に開放する蓋部材と、
前記蓋部材に設けられ、入力操作を受け付ける操作部と、
前記蓋部材に設けられ、所定の情報を表示する表示部と、
を備え、
前記蓋部材は、前記筐体の一部に重なった状態で前記カフ収納部を開放するように設けられていることを特徴とする電子血圧計。
【請求項２】
前記蓋部材は、前記筐体の上側に設けられた支軸部を介して前記筐体に対して回動可能に連結され、前記カフ収納部を閉塞した状態における上面と下面とを反転させるように回動することによって前記カフ収納部を開放することを特徴とする請求項１に記載の電子血圧計。
【請求項３】
前記操作部および前記表示部は、前記蓋部材が前記カフ収納部を開放する位置まで回動した状態において上面となる位置に設けられていることを特徴とする請求項２に記載の電子血圧計。
【請求項４】
前記操作部は、前記カフ収納部を開放する状態において入力操作を受け付けることを特徴とする請求項１〜３のいずれか一つに記載の電子血圧計。
【請求項５】
前記蓋部材は、前記カフ収納部を開放する位置において、一部が、前記筐体の設置面に当接するように設けられていることを特徴とする請求項１〜４のいずれか一つに記載の電子血圧計。
【請求項６】
前記蓋部材は、前記筐体に対してスライドして前記カフ収納部を開放することを特徴とする請求項１に記載の電子血圧計。
【発明の詳細な説明】
【技術分野】
【０００１】
この発明は、電子血圧計に関する。
【背景技術】
【０００２】
上腕などの被測定体の動脈を圧迫するカフを、カフ収納部に収容可能とした構成の電子血圧計（カフ収納型上腕血圧計）がある。電子血圧計は、各種の入力操作を受け付ける操作キーや、測定結果など所定の情報を表示する表示画面などを備えている。このような電子血圧計には、従来、カフ収納部を形成する筐体と、当該筐体に対して回動可能に設けられ、筐体に対して回動することによってカフ収納部を開放する蓋部材と、を備えたものがあった。
【０００３】
上記のような従来の電子血圧計には、使用に際して操作者側に向けられる面（前面）に操作キーや表示画面が設けられるとともに、使用に際して操作キーや表示画面よりも操作者から離間する側（背面側）にカフ収納部が配置されたものがあった。また、上記のような従来の電子血圧計には、操作キーや表示画面が、カフ収納部よりも背面側に配置されたものがあった。
【０００４】
また、従来、血圧計本体に取り付けられた開閉自在な蓋を備え、不使用時に蓋を閉じると、血圧計本体の上面部を覆うことができるようにした血圧計があった（たとえば、下記特許文献１、非特許文献１を参照）。このような従来の電子血圧計においては、いずれも、カフ収納部と操作キーや表示画面とが手前面側から背面側に沿って並列して配置されていた。また、このような従来の電子血圧計においては、いずれも、蓋部材が筐体に対してクラムシェル構造をなしていた。
【先行技術文献】
【特許文献】
【０００５】
【特許文献１】実開平０５−０１８５０２号公報
【非特許文献】
【０００６】
【非特許文献１】意匠登録０９０１６８５号公報
【発明の概要】
【発明が解決しようとする課題】
【０００７】
しかしながら、上述した従来の技術の電子血圧計においては、操作キーや表示画面とカフ収納部とが手前面側から背面側に沿って並列して配置されていたため、奥行き方向における寸法が長くなり、電子血圧計が大型化してしまうという問題があった。このため、設置台上に電子血圧計を設置する際には、広い設置面積を確保する必要があり、使い勝手に劣るという問題があった。
【０００８】
また、上述した従来の電子血圧計においては、蓋部材が筐体に対してクラムシェル構造をなしていたため、筐体の前面側、背面側あるいは筐体上方に、カフ収納部を開放するために蓋部材を回動させておくスペースを確保しなくてはならない。このため、電子血圧計の使用に際しては、電子血圧計がかさばり、使い勝手に劣るという問題があった。
【０００９】
この発明は、上述した従来技術による問題点を解消するため、小型化を図ることができる電子血圧計を提供することを目的とする。
【００１０】
また、この発明は、上述した従来技術による問題点を解消するため、特に、使用に際しての小型化を図ることができる電子血圧計を提供することを目的とする。
【課題を解決するための手段】
【００１１】
上述した課題を解決し、目的を達成するため、この発明にかかる電子血圧計は、カフを収納するカフ収納部を備えた筐体と、前記筐体に設けられ、前記カフ収納部からカフを出し入れ可能に開放する蓋部材と、前記蓋部材に設けられ、入力操作を受け付ける操作部と、前記蓋部材に設けられ、所定の情報を表示する表示部と、を備え、前記蓋部材が、前記筐体の一部に重なった状態で前記カフ収納部を開放するように設けられていることを特徴とする。
【００１２】
また、この発明にかかる電子血圧計は、上記の発目において、前記蓋部材が、前記筐体の上側に設けられた支軸部を介して前記筐体に対して回動可能に連結され、前記カフ収納部を閉塞した状態における上面と下面とを反転させるように回動することによって前記カフ収納部を開放することを特徴とする。
【００１３】
また、この発明にかかる電子血圧計は、上記の発目において、前記操作部および前記表示部が、前記蓋部材が前記カフ収納部を開放する位置まで回動した状態において上面となる位置に設けられていることを特徴とする。
【００１４】
また、この発明にかかる電子血圧計は、上記の発目において、前記操作部が、前記カフ収納部を開放する状態において入力操作を受け付けることを特徴とする。
【００１５】
また、この発明にかかる電子血圧計は、上記の発目において、前記蓋部材が、前記カフ収納部を開放する位置において、一部が、前記筐体の設置面に当接するように設けられていることを特徴とする。
【００１６】
また、この発明にかかる電子血圧計は、上記の発目において、前記蓋部材が、前記筐体に対してスライドして前記カフ収納部を開放することを特徴とする。
【００１７】
この発明にかかる電子血圧計によれば、蓋部材が筐体の一部に重なった状態でカフ収納部を開放し、電子血圧計の使用を可能とすることができる。
【発明の効果】
【００１８】
この発明にかかる電子血圧計によれば、使用に際しての電子血圧計の小型化を図ることができるという効果を奏する。
【図面の簡単な説明】
【００１９】
【図１】この発明にかかる実施の形態の電子血圧計を示す説明図（その１）である。
【図２】この発明にかかる実施の形態の電子血圧計を示す説明図（その２）である。
【図３】この発明にかかる実施の形態の電子血圧計を示す説明図（その３）である。
【図４】この発明にかかる実施の形態の電子血圧計を示す説明図（その４）である。
【図５】蓋部材を示す説明図（その１）である。
【図６】蓋部材を示す説明図（その２）である。
【図７】この発明にかかる実施の形態の電子血圧計の内部構造を示す説明図である。
【図８】磁石と磁石スイッチとの位置関係を示す説明図である。
【図９】筐体に対する蓋部材の状態を示す説明図（その１）である。
【図１０】筐体に対する蓋部材の状態を示す説明図（その２）である。
【図１１】この発明にかかる実施の形態の電子血圧計の機能的構成を示すブロック図である。
【図１２】この発明にかかる別の実施の形態の電子血圧計を示す説明図（その１）である。
【図１３】この発明にかかる別の実施の形態の電子血圧計を示す説明図（その２）である。
【図１４】この発明にかかる別の実施の形態の電子血圧計を示す説明図（その３）である。
【図１５】この発明にかかる別の実施の形態の電子血圧計を示す説明図（その４）である。
【図１６】この発明にかかる別の実施の形態の電子血圧計を示す説明図（その５）である。
【図１７】この発明にかかる別の実施の形態の電子血圧計を示す説明図（その６）である。
【図１８】この発明にかかる別の実施の形態の電子血圧計を示す説明図（その７）である。
【図１９】この発明にかかる別の実施の形態の電子血圧計を示す説明図（その８）である。
【発明を実施するための形態】
【００２０】
以下に添付図面を参照して、この発明にかかる電子血圧計の好適な実施の形態を詳細に説明する。
【００２１】
（実施の形態）
まず、この発明にかかる実施の形態の電子血圧計の構成について説明する。図１、図２、図３および図４は、この発明にかかる実施の形態の電子血圧計を示す説明図である。図１においては、この発明にかかる実施の形態の電子血圧計の、不使用時における外観を斜め上方から見た状態を示している。図２は、この発明にかかる実施の形態の電子血圧計の、使用時における外観を斜め上方から見た状態を示している。図３においては、この発明にかかる実施の形態の電子血圧計の、不使用時における外観を側方から見た状態を示している。図４は、この発明にかかる実施の形態の電子血圧計の、使用時における外観を側方から見た状態を示している。
【００２２】
図１、図２、図３および図４において、この発明にかかる実施の形態の電子血圧計１００は、筐体１０１を備えている。筐体１０１は、電子血圧計１００の使用時において前方となる側（前方側、使用者に向けられる側）が浅く、電子血圧計１００の使用時において後方となる側（後方側、使用者から離れた側）が前方側よりも深い箱形形状をなしている。
【００２３】
筐体１０１は、内側に、カフ２０１を収納可能な空間をなすカフ収納部２０２を備えている。カフ収納部２０２の上側には、上方に向けて開口する開口部２０３が設けられている。カフ２０１は、カフ収納部２０２に対して開口部２０３を介して出し入れされ、電子血圧計１００の不使用時にカフ収納部２０２内に収納される。
【００２４】
カフ２０１は、カフリング、阻血袋（図１１を参照）、カフ帯などを備えて構成されている（カフリングおよびカフ帯については図示を省略する）。カフリング、阻血袋およびカフ帯は、それぞれ、略円筒形状をなしている。カフリングは、たとえばポリエチレンなどを用いて形成され、阻血袋の内側に設けられている。カフリングの両端に設けられた開口部２０３には、たとえば樹脂製リングまたはコイルばね状の金属リングなど、弾性を有するリング状の支持部材が設けられる。
【００２５】
阻血袋は、たとえばポリウレタンなどを用いて形成され、カフ帯の内側に設けられている。阻血袋は、吸入排気用チューブ（図示を省略する）を介して、ポンプ（図７および図１１を参照）と、エアバルブ（図１１を参照）と、圧力センサ（図１１を参照）とに接続されている。
【００２６】
カフ帯は、たとえばナイロンなどを用いて形成されている。カフ帯は、軸方向の伸張率に対して、円周方向の伸張率が極めて低くなるように形成されている。このカフ帯は、阻血袋にエアが送り込まれた際の外側への膨張を抑える。
【００２７】
カフ２０１は、測定時において、ポンプによって阻血袋の内腔が加圧された際に、カフ帯が阻血袋の外側への膨張を制限するように構成されている。特に、カフ帯は、軸方向に比べて周方向の伸張率が低くなるように形成されているため、阻血袋の外側への膨張を、より制限するようになっている。
【００２８】
筐体１０１には、蓋部材１０２が設けられている。蓋部材１０２は、カフ収納部からカフを出し入れ可能に開放する。蓋部材１０２は、筐体１０１に対して回動可能に連結されている。筐体１０１と蓋部材１０２とを連結するとともに蓋部材１０２の回動中心となる支軸部１０３は、筐体１０１の上面に設けられている。支軸部１０３は、筐体１０１の上面において、前方側から後方側に向かう途中部分に設けられている。
【００２９】
これにより、蓋部材１０２は、電子血圧計１００の使用を可能とする位置まで回動した場合に、筐体１０１の上面に一部重なった状態とされる。蓋部材１０２の一部は、電子血圧計１００の使用を可能とする位置まで回動した状態において、電子血圧計１００の設置面３０１に当接する。蓋部材１０２は、開口部２０３を閉塞する位置と開口部２０３を開放する位置との間において、筐体１０１に対して回動可能に連結されている。
【００３０】
蓋部材１０２の表面（開口部２０３を閉塞する位置に位置付けられた状態における上面）には、液晶表示部（副表示部）１０４が設けられている。蓋部材１０２の裏面（開口部２０３を開放し、電子血圧計１００の使用を可能とする状態における上面）には、液晶表示部（表示部）２０４および操作部２０５が設けられている。
【００３１】
図５および図６は、蓋部材１０２を示す説明図である。図５および図６において、液晶表示部１０４は、時刻を表示する時計として機能する。時刻は、電子血圧計１００が備える制御部における計時機能によって計時される時刻を表示する。液晶表示部２０４は、最高血圧値、最低血圧値、脈拍数、体動マーク、脈間隔変動マークなど、電子血圧計１００が測定した各種の測定結果を表示する。液晶表示部２０４は、電池消耗マークや各種のエラーメッセージなどを表示してもよい。
【００３２】
操作部２０５は、各種の操作キーを備えている。操作部２０５における各種の操作キーは、カフ収納部２０２を開放する状態において入力操作を受け付ける。より具体的には、操作部２０５における各種の操作キーは、電子血圧計１００の使用を可能とする位置まで回動した状態において、操作することが可能となる。電子血圧計１００は、バッテリ（図示を省略する）を備えており、このバッテリによって液晶表示部１０４、液晶表示部２０４および操作部２０５への電源の供給がおこなわれる。
【００３３】
図７は、この発明にかかる実施の形態の電子血圧計１００の内部構造を示す説明図である。図７において、電子血圧計１００は、ポンプ７０１、センサ基板７０２、バッファー７０３、フィルター７０４、電磁ＳＬ７０５、磁石７０６、カフコネクタ７０７、磁石スイッチ７０８などを備えている。ポンプ７０１、センサ基板７０２、バッファー７０３、フィルター７０４、電磁ＳＬ７０５、磁石７０６およびカフコネクタ７０７は、筐体１０１内に設けられている。磁石スイッチ７０８は、蓋部材１０２の内側に設けられている。
【００３４】
磁石スイッチ７０８は、蓋部材１０２が開口部２０３を開放する方向へ回動し、電子血圧計１００の使用を可能とする位置に位置付けられた状態において磁石７０６の磁気を検出し、磁石７０６の磁気を検出したことをもって蓋部材１０２が電子血圧計１００の使用を可能とする位置に位置付けられたことを検出する。ポンプ７０１、センサ基板７０２、バッファー７０３、フィルター７０４、電磁ＳＬ７０５、カフコネクタ７０７など、電子血圧計１００が備えるその他の各部については、公知の技術であるため説明を省略する。
【００３５】
図８は、磁石７０６と磁石スイッチ７０８との位置関係を示す説明図である。図８において、磁石７０６は、筐体１０１の上面をなす板状部材に、筐体１０１の内側から取り付けられている。また、磁石７０６は、支軸部１０３よりも前方側に設けられている。磁石スイッチ７０８は、蓋部材１０２が電子血圧計１００の使用を可能とする位置に位置付けられた状態において、板状部材を間にして磁石７０６に対向する位置に設けられている。
【００３６】
磁石７０６は、当該磁石７０６に対して磁石スイッチ７０８が所定範囲内に位置する場合に、磁石スイッチ７０８が検出可能な大きさの磁気を発する。これにより、磁石スイッチ７０８は、蓋部材１０２が電子血圧計１００の使用を可能とする位置に位置および当該位置の近傍に位置付けられた状態、すなわち磁石７０６に対して所定範囲内まで接近した状態において、磁石７０６の磁気を検出することができる。
【００３７】
電子血圧計１００は、磁石スイッチ７０８が磁石７０６の磁力を検出した場合に、電子血圧計１００の電源をＯＮ状態とする。また、電子血圧計１００は、磁石スイッチ７０８は磁石７０６の磁力を検出している間、電子血圧計１００の電源をＯＮ状態とし続ける。
【００３８】
操作キーに対する操作は、磁石スイッチ７０８が磁石７０６の磁気を検出している状態において可能とされる。液晶表示部２０４は、操作キーに対する操作が可能な場合に、所定の情報を表示する。すなわち、液晶表示部２０４および操作部２０５は、蓋部材１０２が電子血圧計１００の使用を可能とする位置に位置付けられている状態に限って動作する。
【００３９】
これにより、電子血圧計１００の使用者（被測定者）に対して電源を投入する操作など格別な操作をおこなわせることなく、蓋部材１０２を開放するだけで電子血圧計１００を容易に使用可能な状態とすることができる。また、蓋部材１０２が電子血圧計１００の使用を可能とする位置に位置付けられている状態に限って液晶表示部２０４および操作キーが動作するため、たとえば電源を切り忘れたために電池が消耗してしまうことを防止することができる。
【００４０】
この実施の形態においては、磁石スイッチによって、蓋部材１０２が電子血圧計１００の使用を可能とする位置に位置および当該位置の近傍に位置付けられた状態で、電子血圧計１００の電源をＯＮ状態とする例を示したが、電子血圧計１００における電源のＯＮ状態とＯＦＦ状態とを切り替える構成は、これに限るものではない。具体的には、たとえば、蓋部材の位置と関係なく、電源スイッチを用いて電子血圧計１００における電源のＯＮ状態とＯＦＦ状態とを切り替えるようにしてもよい。
【００４１】
また、電子血圧計１００における電源のＯＮ状態からＯＦＦ状態へ切り替える構成は、上記のように蓋部材や電源スイッチを用いた構成に限るものではない。具体的には、たとえば、電子血圧計１００における電源のＯＮ状態において操作キーに対する操作が一定時間ない場合に、電源をＯＦＦ状態に切り替えるように構成してもよい。これによって、電源を切り忘れたために電池が消耗してしまうことを防止することができる。
【００４２】
図９および図１０は、筐体１０１に対する蓋部材１０２の状態を示す説明図である。図９および図１０において、蓋部材１０２は、図３に示した状態から、図９に示した状態および図１０に示した状態を経て、図４に示した状態とされる。また、蓋部材１０２は、図４に示した状態から、図１０に示した状態および図９に示した状態を経て、図３に示した状態とされる。
【００４３】
蓋部材１０２は、所定の大きさ以上の負荷がかけられた場合に回動するように構成されている。蓋部材１０２を、所定の大きさ以上の負荷がかけられた場合に回動可能とする構成は、たとえば、トルクヒンジを用いることによって実現することができる。トルクヒンジについては、公知の技術であるため説明を省略する。
【００４４】
また、蓋部材１０２は、負荷がかけられていない場合に、筐体１０１に対して所定の角度をなす位置（所定位置）で固定されるように構成されている。蓋部材１０２を、負荷がかけられていない場合に所定位置で固定する構成は、たとえば、上記の公知のトルクヒンジを用いることによって実現することができる。
【００４５】
具体的には、蓋部材１０２は、たとえば、図９に示した位置や図１０に示した位置で固定されるように構成されている。たとえば、図９に示した位置や図１０に示した位置で固定されるように構成されている蓋部材１０２が、図９に示した位置と図１０に示した位置との間の任意の位置に位置付けられた状態において、当該蓋部材１０２に対してかけられていた負荷がなくなった場合は、蓋部材１０２の自重によって前方側あるいは後方側に回動し、図９に示した位置あるいは図１０に示した位置で停止する。
【００４６】
これによって、被測定者が意図しない状況で液晶表示部２０４や操作キーが動作したり、蓋部材１０２と筐体１０１との間に手指を挟む事故が発生したりすることを防止することができる。蓋部材１０２は、当該蓋部材１０２に対してかけられていた負荷が所定の大きさよりも小さくなった場合、および、当該蓋部材１０２に対してかけられていた負荷がなくなった場合に、その場で回動を停止し、固定されるように構成してもよい。
【００４７】
被測定者は、電子血圧計１００の使用に際し、蓋部材１０２に対して所定の大きさ以上の負荷をかけながら、当該蓋部材１０２の一部が電子血圧計１００の設置面３０１に当接する位置まで蓋部材１０２を回動させる。電子血圧計１００は、磁石スイッチ７０８の検出結果に基づいて、蓋部材１０２の一部が電子血圧計１００の設置面３０１に当接する位置、すなわち電子血圧計１００の使用を可能とする位置に位置付けられると同時あるいは当該位置に位置付けられる直前に、液晶表示部２０４および操作部２０５を動作させる。
【００４８】
（電子血圧計１００の機能的構成）
つぎに、図１１を用いて、この発明にかかる実施の形態の電子血圧計１００の機能的構成について説明する。図１１は、この発明にかかる実施の形態の電子血圧計１００の機能的構成を示すブロック図である。電子血圧計１００においては、被測定者がカフ２０１内に腕を挿通させた状態で、操作部２０５における所定の操作キー（測定ボタンなど）を押すと、自動的にカフ２０１にエアを送り込んで測定が開始される。
【００４９】
図１１において、電子血圧計１００は、ＣＰＵ１１０１と、ポンプ駆動回路１１０２と、エアバルブ駆動回路１１０３と、増幅器１１０４と、Ａ／Ｄコンバータ１１０５と、メモリ１１０６と、液晶表示部１０４と、液晶表示部２０４と、操作部２０５と、ポンプ７０１と、エアバルブ１１０７と、圧力センサ１１０８と、阻血袋１１０９などを備えて構成されている。ＣＰＵ１１０１は、電子血圧計１００全体の制御を司る。
【００５０】
ポンプ駆動回路１１０２は、ＣＰＵ１１０１から出力された制御信号に基づいて動作し、ポンプ７０１を駆動制御する。ポンプ駆動回路１１０２は、ポンプ７０１を駆動制御することによって阻血袋１１０９の内腔に空気を送り込み、阻血袋１１０９の内腔に空気を送り込むことによって阻血袋１１０９の内腔を加圧する。具体的には、ポンプ駆動回路１１０２は、測定時において、阻血袋１１０９の内腔の圧力が所定の圧力となるように、阻血袋１１０９の内腔に圧縮気体を送り込む。
【００５１】
エアバルブ駆動回路１１０３は、ＣＰＵ１１０１から出力された制御信号に基づいて動作し、エアバルブ１１０７を駆動制御し、エアバルブ１１０７の開閉状態を制御する。エアバルブ駆動回路１１０３は、エアバルブ１１０７を駆動制御することによって、阻血袋１１０９の内腔の圧力を維持するとともに、阻血袋１１０９の内腔の圧力の減圧をおこなう。具体的には、エアバルブ駆動回路１１０３は、測定時においてポンプ７０１の動作によって高圧状態となった阻血袋１１０９の内腔の圧力の維持および減圧をおこなうとともに、測定終了後において阻血袋１１０９の内腔を大気圧に復帰させる。
【００５２】
圧力センサ１１０８は、測定時において変化する阻血袋１１０９の内腔の圧力を検出し、阻血袋１１０９の圧力検出信号を出力する。増幅器１１０４は、圧力センサ１１０８から出力される阻血袋１１０９の圧力検出信号を増幅し、Ａ／Ｄコンバータ１１０５に出力する。Ａ／Ｄコンバータ１１０５は、増幅器１１０４から出力されたアナログ信号をデジタル化し、ＣＰＵ１１０１に出力する。
【００５３】
ＣＰＵ１１０１は、タイマ機能によって時刻を計時し、計時した時刻信号を液晶表示部１０４に出力する。液晶表示部１０４は、ＣＰＵ１１０１から出力された時刻信号に基づいて時刻を表示する。また、ＣＰＵ１１０１は、増幅器１１０４から出力されたアナログ信号をデジタル化した測定値信号を液晶表示部２０４に出力する。液晶表示部２０４は、ＣＰＵ１１０１から出力された測定値信号に基づいて、最高血圧値、最低血圧値、脈拍数、体動マーク、脈間隔変動マークなど、電子血圧計１００が測定した各種の測定結果を表示する。
【００５４】
液晶表示部２０４に表示された測定結果に基づき、被測定者によって所定の操作キーが操作されると、ＣＰＵ１１０１は、測定結果をメモリ１１０６に出力する。メモリ１１０６は、測定結果を記憶する。
【００５５】
この発明にかかる実施の形態の電子血圧計１００は、後方側から前方側に蓋部材１０２を回動させることによって使用が可能となるため、電子血圧計１００の使用に際して、電子血圧計１００の後方または上方にスペースを確保する必要がない。これによって、電子血圧計１００の後方に壁などの障害物がある場合にも、電子血圧計１００の前方にのみスペースを確保すればよく、さらに、筐体１０１に重なった状態に蓋部材１０２が開くために確保するスペースも小さくすることができるので、使用が可能な状態における電子血圧計１２００が占有するスペースを小さくすることができる。
【００５６】
また、この実施の形態の電子血圧計１００は、筐体１０１が、電子血圧計１００の使用時における前方側が浅く、後方側（が前方側よりも深い箱形形状をなしている。このため、カフ収納部２０２と液晶表示部２０４や操作部２０５とを、水平方向に並列に配置した場合と比較して、電子血圧計１００の奥行き寸法を短くすることができる。これによって、電子血圧計１００の設置スペースをより省スペース化することができる。
【００５７】
（別の実施の形態）
つぎに、この発明にかかる別の実施の形態の電子血圧計について説明する。この発明にかかる電子血圧計は、蓋部材１０２が、前後方向に回動するものに限らない。すなわち、蓋部材１０２は、カフ収納部２０２を閉塞する位置から筐体１０１の前方側へ回動することによって当該カフ収納部２０２を開放するように構成されているものに限らない。
【００５８】
図１２、図１３、図１４および図１５は、この発明にかかる別の実施の形態の電子血圧計を示す説明図である。図１２、図１３、図１４および図１５において、上述した電子血圧計１００と同一部分については、同一符号で示し、説明を省略する。図１２、図１３、図１４および図１５において、蓋部材１０２は、本などのページを捲るように、左右方向に回動する構成とされている。
【００５９】
具体的には、図１２および図１３に示した電子血圧計１２００は、左側から右側へページを捲るように回動する（図１２における矢印Ａを参照）ことによってカフ収納部２０２を開放し、使用が可能となる構成とされている。図１２および図１３に示した電子血圧計１２００において、支軸部１０３は、筐体１０１の上面で、左右方向において、中央部よりも右側に偏った位置に設けられている。
【００６０】
これにより、電子血圧計１２００の使用が可能となる状態において、蓋部材１０２の一部が筐体１０１に重なるため、支軸部１０３を筐体１０１の上面における右側端部に設けた場合よりも、使用が可能な状態における電子血圧計１２００が占有するスペースを小さくすることができる。これによって、使用時における電子血圧計１２００の小型化を図ることができる。
【００６１】
また、具体的には、図１４および図１５に示した電子血圧計１４００は、右側から左側へページを捲るように回動する（図１４における矢印Ｂを参照）ことによってカフ収納部２０２を開放し、使用が可能となる構成とされている。図１４および図１５に示した電子血圧計１４００において、支軸部１０３は、筐体１０１の上面で、左右方向において、中央部よりも左側に偏った位置に設けられている。
【００６２】
これにより、電子血圧計１４００の使用が可能となる状態において、蓋部材１０２の一部が筐体１０１に重なるため、支軸部１０３を筐体１０１の上面における左側端部に設けた場合よりも、使用が可能な状態における電子血圧計１４００が占有するスペースを小さくすることができる。これによって、使用時における電子血圧計１４００の小型化を図ることができる。
【００６３】
図１６、図１７、図１８および図１９は、この発明にかかる別の実施の形態の電子血圧計を示す説明図である。図１６においては、この発明にかかる別の実施の形態の、非使用時における電子血圧計を上方から見た状態を示している。図１７においては、この発明にかかる別の実施の形態の、非使用時における電子血圧計を側方から見た状態を示している。図１８においては、この発明にかかる別の実施の形態の、使用時における電子血圧計を上方から見た状態を示している。図１９においては、この発明にかかる別の実施の形態の、使用時における電子血圧計を側方から見た状態を示している。
【００６４】
図１６、図１７、図１８および図１９において、この発明にかかる別の実施の形態の電子血圧計１６００が備える蓋部材１０２は、カフ収納部２０２を閉塞する位置から筐体１０１の後方側へ回動する（図１７における矢印Ｃを参照）ことによってカフ収納部２０２を開放し、使用が可能となる構成とされている。
【００６５】
電子血圧計１６００は、蓋部材１０２がカフ収納部２０２を全開する位置まで回動した状態において、当該蓋部材１０２が備える液晶表示部２０４および操作部２０５が、電子血圧計１６００における前方側に向くように蓋部材１０２を支持する支持部材１７０１を備えている。支持部材１７０１は、筐体１０１に固定されており、筐体１０１の上面において、前方側が後方側よりも低くなるような斜面１７０１ａを構成している。これによって、簡易な構成によって、液晶表示部２０４の視認性を確保するとともに、操作部２０５に対する良好かつ安定した操作性を確保することができる。
【００６６】
この発明にかかる実施の形態の電子血圧計１００、１２００、１４００、１６００は、蓋部材１０２が、前後方向あるいは左右方向に回動するものに限らず、筐体１０１に対してスライドする構成であってもよい。図示を省略するが、具体的には、たとえば、後方側から前方側へ引き戸のようにスライドすることによって、カフ収納部２０２を開閉する蓋部材１０２であってもよい。
【００６７】
このような蓋部材１０２を備える電子血圧計１００、１２００、１４００、１６００においては、筐体１０１の上面を後方側よりも前方側の方が低くなるように傾斜させ、カフ収納部２０２を全開する状態において蓋部材１０２の先端が筐体１０１の設置面３０１に当接する構成であってもよい。これによって、操作部２０５に対して入力操作がおこなわれた場合における操作部２０５の安定性の向上を図ることができる。
【００６８】
同様に、この発明にかかる実施の形態の電子血圧計１００、１２００、１４００、１６００は、蓋部材１０２が、「前方側から後方側へ」、「左側から右側へ」あるいは「右側から左側へ」、引き戸のように開閉する構成であってもよい。これによって、カフ収納部２０２の開閉に際しての省スペース化を図ることができる。
【００６９】
液晶表示部２０４と操作部２０５とは必ずしも隣り合って設けられているものに限らない。たとえば、蓋部材１０２に液晶表示部２０４を設け、操作部２０５を筐体１０１に設けるようにしてもよい。この場合にも、蓋部材１０２が筐体１０１に重なった状態で開くため、使用に際しての電子血圧計の省スペース化を図ることができる。
【００７０】
以上説明したように、この実施の形態の電子血圧計１００、１２００、１４００、１６００は、カフ２０１を収納するカフ収納部２０２を備えた筐体１０１と、筐体１０１に設けられ、カフ収納部２０２を開放可能に閉塞する蓋部材１０２と、蓋部材１０２に設けられ、当該蓋部材１０２がカフ収納部２０２を全開する状態において入力操作を受け付ける操作部２０５と、蓋部材１０２に設けられ、当該蓋部材１０２がカフ収納部２０２を全開する状態において所定の情報を表示する液晶表示部２０４と、を備え、蓋部材１０２が、筐体１０１の一部に重なった状態でカフ収納部２０２を全開するように設けられていることを特徴としている。
【００７１】
この実施の形態の電子血圧計１００、１２００、１４００、１６００によれば、蓋部材１０２が筐体１０１の一部に重なった状態でカフ収納部２０２を開放し、電子血圧計１００、１２００、１４００、１６００の使用を可能とすることができる。これにより、筐体１０１の上面全体を開放する従来の電子血圧計１００、１２００、１４００、１６００と比較して、使用が可能な状態における電子血圧計１００、１２００、１４００、１６００が占有するスペースを小さくすることができる。これによって、使用時における電子血圧計１００、１２００、１４００、１６００の小型化を図ることができる。
【００７２】
また、この実施の形態の電子血圧計１００、１２００、１４００、１６００は、蓋部材１０２が、筐体１０１の上側に設けられた支軸部１０３を介して筐体１０１に対して回動可能に連結され、カフ収納部２０２を閉塞した状態における上面と下面とを反転させるように回動することによってカフ収納部２０２を全開し、操作部２０５および液晶表示部２０４は、蓋部材１０２がカフ収納部２０２を全開する位置まで回動した状態において上面となる位置に設けられていることを特徴としている。
【００７３】
この実施の形態の電子血圧計１００、１２００、１４００、１６００によれば、蓋部材１０２がカフ収納部２０２を閉塞している状態、すなわち、電子血圧計１００、１２００、１４００、１６００の非使用時においては、操作部２０５や液晶表示部２０４が蓋部材１０２の下面に位置するため、電子血圧計１００、１２００、１４００、１６００の非使用時に操作部２０５や液晶表示部２０４が動作することを防止することができる。これによって、バッテリを無駄に消費することを抑制し、使用時に確実に動作させることができる。
【００７４】
また、この実施の形態の電子血圧計１００、１２００、１４００、１６００によれば、電子血圧計１００、１２００、１４００、１６００の非使用時においては、操作部２０５や液晶表示部２０４が蓋部材１０２の下面に位置するため、操作部２０５や液晶表示部２０４の存在を外部からわかりにくくすることができる。これによって、電子血圧計１００、１２００、１４００、１６００の非使用時においては、電子血圧計１００、１２００、１４００、１６００であることをわかりにくくすることができる。
【００７５】
また、この実施の形態の電子血圧計１００、１２００、１４００、１６００によれば、蓋部材１０２に設けられ、当該蓋部材１０２がカフ収納部２０２を閉塞した状態において視認可能な液晶表示部１０４を備えたことを特徴としている。この実施の形態の電子血圧計１００、１２００、１４００、１６００によれば、電子血圧計１００、１２００、１４００、１６００の非使用時においては、電子血圧計１００、１２００、１４００、１６００であることを、より一層わかりにくくすることができる。
【００７６】
このように、電子血圧計１００、１２００、１４００、１６００であることをわかりにくくすることにより、たとえばリビングなど人目に触れる機会が多い場所においてもインテリアの美観を損ねることを回避することができる。そして、これによって、電子血圧計１００、１２００、１４００、１６００を身近に置いておくことに対する被測定者の抵抗感を抑え、電子血圧計１００、１２００、１４００、１６００の利用促進を図ることができる。
【００７７】
また、この発明にかかる電子血圧計１００、１２００、１４００、１６００は、上記の発明において、蓋部材１０２が、カフ収納部２０２を全開する位置において、一部が、筐体１０１の設置面３０１に当接するように設けられていることを特徴としている。この実施の形態の電子血圧計１００、１２００、１４００、１６００によれば、カフ収納部２０２を全開した状態では、筐体１０１の設置面３０１と蓋部材１０２との当接位置において当該蓋部材１０２を下方から支持することができる。これによって、操作部２０５に対して入力操作がおこなわれた場合における操作部２０５の安定性の向上を図ることができる。
【産業上の利用可能性】
【００７８】
以上のように、この発明にかかる電子血圧計は、生体（被測定者）に装着して血圧を測定する電子血圧計に有用であり、特に、小型化が重要視される電子血圧計に適している。
【符号の説明】
【００７９】
１００  電子血圧計
１０１  筐体
１０２  蓋部材
１０３  支軸部
１０４  液晶表示部
２０１  カフ
２０２  カフ収納部
２０４  液晶表示部
２０５  操作部
１２００  電子血圧計
１４００  電子血圧計
１６００  電子血圧計
【図１】
2011212322.tif 000003
【図２】
2011212322.tif 000004
【図３】
2011212322.tif 000005
【図４】
2011212322.tif 000006
【図５】
2011212322.tif 000007
【図６】
2011212322.tif 000008
【図７】
2011212322.tif 000009
【図８】
2011212322.tif 000010
【図９】
2011212322.tif 000011
【図１０】
2011212322.tif 000012
【図１１】
2011212322.tif 000013
【図１２】
2011212322.tif 000014
【図１３】
2011212322.tif 000015
【図１４】
2011212322.tif 000016
【図１５】
2011212322.tif 000017
【図１６】
2011212322.tif 000018
【図１７】
2011212322.tif 000019
【図１８】
2011212322.tif 000020
【図１９】
2011212322.tif 000021